【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
撮像方法を行うために少なくとも１つの電子プロセッサによって読み取り可能かつ実行可能な命令を格納する非一時的記憶媒体であって、前記撮像方法は、
患者の関心領域（ＲＯＩ）について、拡散重み付け又はかん流重み付けパラメータ及び磁化緩和パラメータによってパラメータ化されたマルチパラメトリック磁気共鳴（ＭＲ）撮像データを取得するステップと、
前記マルチパラメトリックＭＲ撮像データから、複数の組織タイプのそれぞれについて、前記ＲＯＩの体積分率マップを決定するステップと、
前記決定された体積分率マップを含むか又は前記決定された体積分率マップから生成された組織組成マップを表示するように表示デバイスを制御するステップと、
を含む、非一時的記憶媒体。
【請求項２】
前記拡散重み付け又はかん流重み付けパラメータの少なくとも１つが、拡散重み付けパラメータを含み、前記拡散重み付けパラメータは、ｂ値、拡散時間、拡散勾配のうちの１つを含む、請求項１に記載の非一時的記憶媒体。
【請求項３】
前記拡散重み付け又はかん流重み付けパラメータの少なくとも１つが、かん流重み付けパラメータを含む、請求項１に記載の非一時的記憶媒体。
【請求項４】
少なくとも１つの前記磁化緩和パラメータが、エコー時間（ＴＥ）、フリップ角のうちの一方を含む、請求項１から３のいずれか一項に記載の非一時的記憶媒体。
【請求項５】
少なくとも１つの前記磁化緩和パラメータが、エコー時間（ＴＥ）を含み、拡散重み付けパラメータは、ｂ値を含む、請求項１から４のいずれか一項に記載の非一時的記憶媒体。
【請求項６】
前記マルチパラメトリックＭＲ撮像データは、少なくとも９つの（ＴＥ，ｂ値）パラメータ値ペアについて収集されたＭＲ撮像データを含み、
前記体積分率マップを決定するステップは、少なくとも各組織タイプの体積分率について、各ボクセルにおいて連立方程式を解くステップを含み、
前記連立方程式は、各（ＴＥ，ｂ値）パラメータ値ペアについて、前記（ＴＥ，ｂ値）パラメータ値ペアで収集されたボクセルのＭＲ信号を、組織タイプの緩和時間Ｔ２及び見かけの拡散係数（ＡＤＣ）に関数的に依存する各組織タイプの信号成分の加重和に関連付ける方程式を含み、各信号成分は、前記組織タイプの前記体積分率によって重み付けされる、請求項５に記載の非一時的記憶媒体。
【請求項７】
各ボクセルにおける前記連立方程式は更に、前記体積分率の合計が１になることを必要とする方程式を含む、請求項６に記載の非一時的記憶媒体。
【請求項８】
各ボクセルにおける連立方程式は、各組織タイプの前記体積分率並びに各組織タイプの緩和時間Ｔ２及びＡＤＣについて解かれる、請求項６又は７に記載の非一時的記憶媒体。
【請求項９】
前記マルチパラメトリック磁気共鳴（ＭＲ）撮像データは、少なくとも９つの（ＴＥ，ｂ値）パラメータ値ペアについて収集されたＭＲ撮像データを含み、
前記体積分率マップを決定するステップは、少なくとも各組織タイプＴｉ∈｛Ｔ｝の体積分率ＶΤｉについて、各ボクセルにおいて連立方程式を解くステップを含み、式中、｛Ｔ｝は、前記複数の組織タイプの集合を示し、
前記連立方程式は、各（ＴＥ，ｂ値）パラメータ値ペアについて、次式：
【数６】
2020534914.tif 000001
を含み、式中、Ｓは、ボクセルにおけるＭＲ信号であり、Ｓ０は、定数であり、ＴＥ及びｂは、それぞれ、前記（ＴＥ，ｂ値）パラメータ値ペアのエコー時間ＴＥ及びｂ値であり、Ｔ２Ｔｉ及びＡＤＣＴｉは、組織タイプＴｉの緩和時間Ｔ２及びＡＤＣを示す、請求項５に記載の非一時的記憶媒体。
【請求項１０】
各ボクセルにおける前記連立方程式は更に、前記体積分率の合計が１になることを必要とする次式：
【数７】
2020534914.tif 000002
を含む、請求項９に記載の非一時的記憶媒体。
【請求項１１】
各ボクセルにおける前記連立方程式は、各組織タイプの前記体積分率ＶＴｉ並びに各組織タイプの緩和時間Ｔ２Ｔｉ及びＡＤＣＴｉについて解かれる、請求項９又は１０に記載の非一時的記憶媒体。
【請求項１２】
前記決定するステップは、
前記複数の組織タイプの各組織タイプについて体積分率値を決定するように、各ボクセルについて連立方程式を解くステップを含み、
各ボクセルについての前記連立方程式は、前記マルチパラメトリックＭＲ撮像データにおける前記拡散重み付け又はかん流重み付けパラメータ及び前記磁化緩和パラメータの各値ペアについての方程式を含む、請求項１から５のいずれか一項に記載の非一時的記憶媒体。
【請求項１３】
各ボクセルについての前記連立方程式は更に、体積分率の合計が１になることを必要とする方程式を含む、請求項１２に記載の非一時的記憶媒体。
【請求項１４】
前記決定するステップは更に、
前記複数の組織タイプの各組織タイプについて、Ｔ２値及び見かけの拡散係数（ＡＤＣ）値を決定するステップを含む、請求項１から８のいずれか一項に記載の非一時的記憶媒体。
【請求項１５】
前記複数の組織タイプは、間質組織タイプ、上皮組織タイプ及び管腔組織タイプを含み、
前記間質組織タイプ、前記上皮組織タイプ及び前記管腔組織タイプの体積分率は、生体内ｐＴＣＭによって非侵襲的に測定され、ホールマウントヘマトキシリン及びエオシン染色組織の定量分析と比較される、請求項１から１４のいずれか一項に記載の非一時的記憶媒体。
【請求項１６】
前記表示デバイスは、
前記複数の組織タイプの各組織タイプの前記体積分率マップの表示、
前記複数の組織タイプの前記体積分率マップを融合させた単一組成マップの表示のうちの少なくとも一方を含む前記組織組成マップを表示するように制御される、請求項１から１５のいずれか一項に記載の非一時的記憶媒体。
【請求項１７】
モデルを使用してＭＲＩデータの多次元配列を変換することによって、前立腺組織組成マップ（ｐＴＣＭ）をＭＲＩ画像から生成して、前立腺組織成分の体積分率、ＡＤＣ及びＴ２を非侵襲的に評価するプロセッサを含む、医用撮像ワークステーション。
【請求項１８】
前記前立腺組織成分は、間質、上皮及び管腔を含む、請求項１７に記載の医用撮像ワークステーション。
【請求項１９】
前記ＭＲＩデータの多次元配列は、エコー時間ＴＥ及びｂ値によってパラメータ化され、少なくとも９つの（ＴＥ，ｂ値）パラメータ値ペアについて収集されたＭＲ撮像データを含み、
前記ｐＴＣＭマップは、前記間質、前記上皮及び前記管腔のそれぞれの体積分率Ｖｓｔｒｏｍａ、Ｖｅｐｉｔｈｅｉｉｕｍ及びＶｌｕｍｅｎについて、前記間質、前記上皮及び前記管腔のそれぞれの緩和時間Ｔ２ｓｔｒｏｍａ、Ｔ２ｅｐｉｔｈｅｉｉｕｍ及びＴ２ｌｕｍｅｎついて、並びに、前記間質、前記上皮及び前記管腔のそれぞれの見かけの拡散係数ＡＤＣｓｔｒｏｍａ、ＡＤＣｅｐｉｔｈｅｉｉｕｍ及びＡＤＣｌｕｍｅｎについて、各ボクセルにおいて連立方程式を解くことによって生成され、
前記連立方程式は、各（ＴＥ，ｂ値）パラメータ値ペアについて、次式：
【数８】
2020534914.tif 000003
を含み、式中、Ｓは、ボクセルにおけるＭＲ信号であり、Ｓ０は、定数であり、ＴＥ及びｂは、それぞれ、前記（ＴＥ，ｂ値）パラメータ値ペアのエコー時間ＴＥ及びｂ値である、請求項１８に記載の医用撮像ワークステーション。
【請求項２０】
患者の関心領域（ＲＯＩ）について、拡散重み付けパラメータ及び磁化緩和パラメータによってパラメータ化されたマルチパラメトリック磁気共鳴（ＭＲ）撮像データを取得するステップと、
前記マルチパラメトリックＭＲ撮像データから、複数の組織タイプのそれぞれについて、前記ＲＯＩの体積分率マップを決定するステップと、
前記決定された体積分率マップを含むか又は前記決定された体積分率マップから生成される、組織組成マップを表示するように表示デバイスを制御するステップと、
を含む、撮像方法。